(57)【要約】【課題】デジタル放送の大容量情報配信能力を十分に活用するとともに、配信された付加情報を効率的に利用できるようにすること。【解決手段】本発明の情報配信装置によれば、デジタル放送局側１２から配信されるコンテンツ情報と、コンテンツ情報に対応する付加情報と、付加情報の見出しを列挙した見出し情報とからなるデジタル放送を受信する受信アンテナ３２を備えている。更に、受信されたデジタル放送を記憶するハードディスク３４と、コンテンツ情報と見出し情報とを表示する場合に、視聴者に対して、表示された見出し情報の中から見出しの選択を要求すると共に、視聴者からの見出し選択情報を受信するリクエスト受付部３８と、リクエスト受付部３８によって選択情報が受信されると、ハードディスク３４に記憶されている見出しに対応している付加情報を、視聴者端末に対して出力するリクエスト処理部４０とを備えている。【選択図】    図３
2004254122.tif 000002
【特許請求の範囲】
【請求項１】
デジタル放送局側から配信される番組情報を含む主情報からなるコンテンツ情報と、前記コンテンツ情報に対応する情報である付加情報と、前記付加情報の見出しを列挙した見出し情報とからなるデジタル放送を受信する受信手段と、
前記受信手段によって受信されたデジタル放送を記憶する記憶手段と、
前記コンテンツ情報と見出し情報とを表示する場合に、視聴者に対して、前記表示された見出し情報の中から見出しの選択を要求する表示要求手段と、
前記視聴者からの見出し選択情報を受信する選択情報受信手段と、
前記選択情報受信手段によって前記選択情報が受信されると、前記記憶手段に記憶されている見出しに対応している前記付加情報を読み出し、視聴者端末に対して出力する第１の出力手段と
を備えた情報配信装置。
【請求項２】
前記見出し情報は、前記コンテンツ情報に含まれている請求項１に記載の情報配信装置。
【請求項３】
請求項１または請求項２に記載の情報配信装置において、
前記第１の出力手段によって前記付加情報が前記視聴者端末に対して出力されると、前記デジタル放送局側へ付加情報出力通知情報を出力する第２の出力手段を付加した情報配信装置。
【請求項４】
請求項１乃至３のうち何れか１項に記載の情報配信装置において、
前記視聴者からの付加情報の出力先端末指定情報を受信する指定情報受信手段を備え、
前記第１の出力手段は、前記出力先端末指定情報によって指定された出力先端末に前記付加情報を出力するようにした情報配信装置。
【請求項５】
デジタル放送局側から配信される番組情報を含む主情報からなるコンテンツ情報と、前記コンテンツ情報に対応する情報である付加情報と、前記付加情報の見出しを列挙した見出し情報とからなるデジタル放送を受信し、
前記受信したデジタル放送を記憶手段に記憶し、
前記コンテンツ情報と見出し情報とを表示する場合に、視聴者に対して、前記表示された見出し情報の中から見出しの選択を要求し、
前記視聴者から見出し選択情報が送信された場合には、この選択情報を受信し、前記記憶手段に記憶されている見出しに対応している前記付加情報を読み出し、視聴者端末に対して出力するようにした情報配信方法。
【請求項６】
前記見出し情報は、前記コンテンツ情報に含まれている請求項５に記載の情報配信方法。
【請求項７】
請求項５または請求項６に記載の情報配信方法において、
前記付加情報が前記視聴者端末に対して出力されると、前記デジタル放送局側へ付加情報出力通知情報を出力するようにした情報配信方法。
【請求項８】
請求項５乃至７のうち何れか１項に記載の情報配信方法において、
前記視聴者から付加情報の出力先端末指定情報が送信された場合には、この出力先端末指定情報を受信し、前記出力先端末指定情報によって指定された出力先端末に前記付加情報を出力するようにした情報配信方法。
【請求項９】
デジタル放送局側から配信される番組情報を含む主情報からなるコンテンツ情報と、前記コンテンツ情報に対応する情報である付加情報と、前記付加情報の見出しを列挙した見出し情報とからなるデジタル放送を受信する受信機能、
前記受信機能によって受信されたデジタル放送を記憶手段に記憶させる記憶機能、
前記コンテンツ情報と見出し情報とを表示する場合に、視聴者に対して、前記表示された見出し情報の中から見出しの選択を要求する表示要求機能、
前記視聴者からの見出し選択情報を受信する選択情報受信機能、
前記選択情報受信機能によって前記選択情報が受信されると、前記記憶手段に記憶されている見出しに対応している前記付加情報を読み出し、視聴者端末に対して出力する出力機能
をコンピュータに実現させるためのコンピュータ読み取り可能なプログラム。
【発明の詳細な説明】
【０００１】
【発明の属する技術分野】
本発明は、デジタル放送の放送番組などの主情報であるコンテンツ情報に付加された付加情報の配信装置および配信方法に係り、更に詳しくは、視聴者の操作にしたがって携帯電話、携帯情報端末、パーソナルコンピュータ等の端末の画面に自在に付加情報を表示することができる配信装置、配信方法、およびプログラムに関する。
【０００２】
【従来の技術】
デジタル放送は、放送番組の主情報であるコンテンツ情報のみならず、コンテンツ情報に関連する情報、コンテンツを配信する側が宣伝した情報などからなる膨大な付加情報を含めて配信することができることが知られている。
【０００３】
そこで、現在、デジタル放送では、例えばコンテンツ情報の一つである放送番組とともに、天気予報やニュース速報といった付加情報を配信することが行われるようになってきている。この種の付加情報がコンテンツ情報とともに配信されると、テレビ画面の一部に文字等によって表示されることによって、視聴者は、放送番組を視聴しながら、これら付加情報の内容を視聴することができる。
【０００４】
このような技術に関連する先行文献としては、例えば、下記特許文献１がある。この特許文献１では、インターネット広告において広告を配信する場合に、ユーザ特性に対応してターゲット抽出を行い、抽出したターゲットであるユーザに対して広告を配信する技術が開示されている。
【０００５】
【特許文献１】
特開２００１−３１２６４３号公報
【０００６】
【発明が解決しようとする課題】
しかしながら、このような従来のデジタル放送の配信方法では、以下のような問題がある。
【０００７】
すなわち、デジタル放送に含まれている付加情報は、テレビ画面上で表示されている。このように、付加情報を、テレビ画面上で表示する場合、技術的には極めて大量の情報を表示することができるものの、以下に示すような理由により、現実的にはその情報量が制限されているのが現状である。
【０００８】
例えば、放送では、テレビ端末上での画面表示のデザインや解像度変更が行えないため、画面の大きさに関わらず同一の画面を表示しなければならない。そのため、どの表示面積にも対応する必要があるために、画面に一度に表示可能な情報量に制限が加えられる。例えば、表示画面の小さいテレビ画面への配慮から、実際にはニュース等でもニュースの見出しや、短い文書での要約等しか表示することができず、十分に情報を配信・表示することはできない。
【０００９】
このため、例えば、情報量が多いより詳細な情報を配信する場合には、情報量に応じて頻繁に画面・ページの切替を視聴者に要求することとなり、視聴者に大きな負担をかけることとなる。
【００１０】
したがって、テレビ画面上で文字を表示することによって、情報を効果的に伝えるためには、放送局側において、予め表現方法を工夫した情報に加工しなければならず、結果として、ニュースの場合、見出し程度の情報しか載せられず、詳細な内容まではとても表現しきれない。より詳細な内容、あるいは見解等まで表現するためには、やはりテレビ画面上での表現は適しておらず、結果として、視聴者は、物足りないと感じてしまう。
【００１１】
放送局側から配信されるこのような付加情報を含んだデジタル放送を、ＳＴＢ（Ｓｅｔ  Ｔｏｐ  Ｂｏｘ）等の記憶手段を備えたチューナに一旦記憶しておき、記憶されている付加情報をユーザ操作によって引き出し、テレビ画面上に表示することも可能である。しかしながら、テレビ画面はパソコン画面とは異なり、解像度も低く、文字の大きさ等をユーザ側で設定することはできないなど機能面での融通性に乏しく、付加情報を表示するインタフェースとしては必ずしも優れておらず、結果として、デジタル放送自体の普及を阻害している可能性があるという問題がある。
【００１２】
本発明はこのような事情に鑑みてなされたものであり、デジタル放送に含まれて配信された付加情報を、ユーザ操作にしたがって電子ペーパ、ＰＤＡ、パソコンといった携帯端末の画面上から自在に表示できるようにすることによって、デジタル放送の大容量情報配信能力を十分に活用するとともに、付加情報を効率的に利用することが可能な情報配信装置、情報配信方法、およびプログラムを提供することを目的とする。
【００１３】
【課題を解決するための手段】
上記の目的を達成するために、本発明では、以下のような手段を講じる。
【００１４】
すなわち、請求項１の発明の情報配信装置は、デジタル放送局側から配信される番組情報を含む主情報からなるコンテンツ情報と、コンテンツ情報に対応する情報である付加情報と、付加情報の見出しを列挙した見出し情報とからなるデジタル放送を受信する受信手段と、受信手段によって受信されたデジタル放送を記憶する記憶手段と、コンテンツ情報と見出し情報とを表示する場合に、視聴者に対して、表示された見出し情報の中から見出しの選択を要求する表示要求手段と、視聴者からの見出し選択情報を受信する選択情報受信手段と、選択情報受信手段によって選択情報が受信されると、記憶手段に記憶されている見出しに対応している付加情報を読み出し、視聴者端末に対して出力する第１の出力手段とを備えている。
【００１５】
請求項２の発明は、請求項１の発明の情報配信装置において、見出し情報は、コンテンツ情報に含まれている。
【００１６】
請求項３の発明は、請求項１または請求項２の発明の情報配信装置において、第１の出力手段によって付加情報が視聴者端末に対して出力されると、デジタル放送局側へ付加情報出力通知情報を出力する第２の出力手段を付加している。
【００１７】
請求項４の発明は、請求項１乃至３のうち何れか１項の発明の情報配信装置において、視聴者からの付加情報の出力先端末指定情報を受信する指定情報受信手段を備え、第１の出力手段は、出力先端末指定情報によって指定された出力先端末に付加情報を出力する。
【００１８】
請求項５の発明の情報配信方法は、デジタル放送局側から配信される番組情報を含む主情報からなるコンテンツ情報と、コンテンツ情報に対応する情報である付加情報と、付加情報の見出しを列挙した見出し情報とからなるデジタル放送を受信し、受信したデジタル放送を記憶手段に記憶し、コンテンツ情報と見出し情報とを表示する場合に、視聴者に対して、表示された見出し情報の中から見出しの選択を要求し、視聴者から見出し選択情報が送信された場合には、この選択情報を受信し、記憶手段に記憶されている見出しに対応している付加情報を読み出し、視聴者端末に対して出力する。
【００１９】
請求項６の発明は、請求項５の発明の情報配信方法において、見出し情報は、コンテンツ情報に含まれている。
【００２０】
請求項７の発明は、請求項５または請求項６の発明の情報配信方法において、付加情報が視聴者端末に対して出力されると、デジタル放送局側へ付加情報出力通知情報を出力する。
【００２１】
請求項８の発明は、請求項５乃至７のうち何れか１項の発明の情報配信方法において、視聴者から付加情報の出力先端末指定情報が送信された場合には、この出力先端末指定情報を受信し、出力先端末指定情報によって指定された出力先端末に付加情報を出力する。
【００２２】
請求項９の発明は、以下に示すような受信機能と、記憶機能と、表示要求機能と、選択情報受信機能と、出力機能とからなるコンピュータ読み取り可能なプログラムである。
【００２３】
すなわち、受信機能では、デジタル放送局側から配信される番組情報を含む主情報からなるコンテンツ情報と、コンテンツ情報に対応する情報である付加情報と、付加情報の見出しを列挙した見出し情報とからなるデジタル放送を受信する。また、記憶機能では、受信機能によって受信されたデジタル放送を記憶手段に記憶させ、表示要求機能では、コンテンツ情報と見出し情報とを表示する場合に、視聴者に対して、表示された見出し情報の中から見出しの選択を要求する。また、選択情報受信機能では、視聴者からの見出し選択情報を受信し、出力機能では、選択情報受信機能によって選択情報が受信されると、記憶手段に記憶されている見出しに対応している付加情報を読み出し、視聴者端末に対して出力する。従って、本発明によって、視聴者は、選択した見出しに対応する付加情報のみを、視聴者端末から視聴することができる。また、視聴者は、出力先の端末を自分で指定することができるようになるために、電子ペーパ、ＰＤＡ、パソコン等のテレビとは異なる端末からも付加情報を表示させることが可能となる。このため、様々な付加情報を、好きな場所で見ることができるようになる。
【００２４】
例えば、付加情報として新聞情報が配信された場合、この付加情報を視聴することによって、ユーザは、新聞情報を電子ペーパや、ＰＤＡ等の携帯端末に格納し、好きなときに、あるいは好きな場所で見ることができるために、持ち運び可能であるという紙媒体としての新聞の機能を備えるのみならず、混雑した電車の中等においても紙面を広げることなく全頁を見ることができるようになる。
【００２５】
また、従来、電子ペーパや、ＰＤＡ、あるいは携帯電話といった携帯型の端末によって情報を直接取得する場合には、通信コストが問題となっていたが、付加情報の取得は、これら端末が行うのではなく、ＳＴＢ（Ｓｅｔ  Ｔｏｐ  Ｂｏｘ）等の蓄積型のテレビ受信器を用いたデジタル放送の配信に伴って行う。このため、大量な情報量の付加情報であっても、通信コストに関係なく取得することができる。
【００２６】
更に、デジタル放送でデータを配信することにより、一斉にデータを広範囲の視聴者に配信することが可能である。多くの視聴者への情報配信時に配信量増加による配信設備への負担増加という問題も発生しない。
【００２７】
【発明の実施の形態】
以下に、本発明の各実施の形態について図面を参照しながら説明する。
【００２８】
（第１の実施の形態）
第１の実施の形態を図１から図４を用いて説明する。
【００２９】
図１は、第１の実施の形態に係る情報配信方法を適用した情報配信装置を説明するための概念図である。
【００３０】
すなわち、本実施の形態に係る情報配信方法は、クライアント１０から提供され、更に放送局１２からデジタル放送に含められ送信された付加情報を、携帯電話、携帯端末であるＰＤＡ１６や、携帯ディスプレイである電子ペーパ１７等の表示機能付きの端末から表示させるためにユーザ側受信装置２２に配信する方法である。
【００３１】
また、デジタル放送のシステムは、クライアント１０と、放送局１２と、人工衛星１８等の配信手段と、ユーザ側受信装置２２とから構成されている。なお、人工衛星１８の代わりにケーブルテレビ、地上波、ネットワークなど複数の通信方法を用いることができるが、本実施の形態では人工衛星１８を用いて説明することとする。
【００３２】
クライアント１０は、付加情報データベース１１を備えており、この付加情報データベース１１には、デジタル放送に含められて送信される様々な付加情報を格納している。付加情報としては、例えば新聞情報などの文字データや、動画データ、静止画データ、音声データ、ゲーム等のプログラムデータ等がある。クライアント１０は、放送局１２と通信回線でつながれており、放送局１２からの要求に基づいて、格納している付加情報のうちの何れかを通信回線を介し、放送局１２に向けて送信する（Ｓ１）。
【００３３】
放送局１２は、デジタル放送送出装置２４と、番組管理サーバ２６と、リアルタイム放送送出装置２８と、配信装置３０とを備えている。
【００３４】
デジタル放送送出装置２４は、ステップＳ１においてクライアント１０から送信された付加情報を受信し、受信した付加情報に付加情報ＩＤを付して番組管理サーバ２６へと登録する。また、受信した付加情報に含まれる各付加データの見出しを列挙した見出し情報を作成し、作成した見出し情報もまた見出し情報ＩＤを付して番組管理サーバ２６へと登録する（Ｓ２）。番組管理サーバ２６は、登録された付加情報および見出し情報を、その付加情報ＩＤおよび見出し情報ＩＤを登録名として、それぞれ関連付けて保持する。
【００３５】
リアルタイム放送送出装置２８は、放送局１２が、家庭や企業あるいは事業所などに備えられたユーザ側受信装置２２へ配信する放送データである番組コンテンツデータに、番組ＩＤを付して番組管理サーバ２６へと登録する（Ｓ３）。番組管理サーバ２６は、登録された番組コンテンツデータを、その番組ＩＤを登録名として保持する。
【００３６】
配信装置３０は、番組管理サーバ２６に対して番組ＩＤを指定することによって、この番組ＩＤに対応する番組コンテンツデータを取得する。更に、番組管理サーバ２６に対して、取得した番組コンテンツデータとともにデジタル放送に含める付加情報に対応する付加情報ＩＤを指定することによって、付加情報を取得する。更にまた、番組管理サーバ２６に対して見出し情報ＩＤを指定することによって、この見出し情報ＩＤに対応する見出し情報を取得する。
【００３７】
そして、図２のデータ関連図に示すように、見出し情報の各見出しと、付加情報に含まれる各付加データ（付加データＡ、付加データＢ、付加データＣ、付加データＤ、・・・付加データＺ）との紐付けを行った後に、見出し情報を番組コンテンツデータと同一のデジタル放送に書き込み、更にこの番組コンテンツデータおよび付加情報を同一デジタル放送内のデータとして登録する。このようにして、図２に示すように、番組コンテンツデータと、付加情報と、見出し情報とをそれぞれ関連付ける。すなわち、見出し情報が書き込まれた番組コンテンツデータの番組ＩＤと、この番組コンテンツデータとともに同一の放送データに含まれる付加情報の付加情報ＩＤとが１対１で関連付けられ、更に、この番組コンテンツデータに対応付けられた見出し情報における見出し（付加データＡ、付加データＢ、付加データＣ、付加データＣ、・・・付加データＺ）と、付加情報の各付加データ（付加データＡ、付加データＢ、付加データＣ、付加データＤ、・・・付加データＺ）との対応がとられるようにしている（Ｓ４）。
【００３８】
配信装置３０は、しかる後に付加情報を、人工衛星１８等の配信手段を介して、配信された情報を蓄積するための帯域である蓄積用帯域にてユーザ側受信装置２２が、ユーザ側受信装置２２に向けて配信する（Ｓ５）。
【００３９】
ユーザ側受信装置２２には、図３にその構成例を示す機能ブロック図に示すように、放送局１２側から配信される放送データ（付加情報や番組コンテンツデータを含んでいる）を受信するための受信アンテナ３２と、ＳＴＢ等のハードディスク３４と、テレビ３６と、リクエスト受付部３８と、リクエスト処理部４０と、付加情報通信部４２とを備えている。
【００４０】
受信アンテナ３２は、ステップＳ５において配信された放送データを受信し、受信した放送データに含まれる付加情報をハードディスク３４へ転送する。そして、ハードディスク３４は、この転送された付加情報を、その付加情報ＩＤを登録名として蓄積する（Ｓ６）。
【００４１】
配信装置３０は、番組コンテンツデータを、人工衛星１８等の配信手段を介してユーザ側受信装置２２に向けて配信する（Ｓ７）。
【００４２】
受信アンテナ３２は、ステップＳ７において配信された番組コンテンツデータを受信し、受信した番組コンテンツデータをハードディスク３４へ転送する。そして、ハードディスク３４は、この転送された番組コンテンツデータを、その番組ＩＤを登録名として蓄積するとともに、蓄積された番組コンテンツデータがテレビ３６から放映されるようにしている。これによって、リアルタイムで番組コンテンツデータが放映されるようにしている（Ｓ８）。また、必ずしもリアルタイムでなくとも、ハードディスク３４に書き込まれた番組コンテンツデータを任意のタイミングで再生放映することもできる。
【００４３】
このようにしてテレビ３６の画面から番組コンテンツデータを放映する。ステップＳ４で説明したように、番組コンテンツデータには、見出し情報が書き込まれているので、図４の模式図に示すように、テレビ３６から放映される番組の一部に見出し情報も表示されるようにしている（Ｓ９）。なお、図４（ａ）は、テレビ３６の下部に３つの見出し情報（付加データＡ、付加データＢ、付加データＣ）を表示した例を示すものであり、図４（ｂ）は、テレビ３６を２画面表示し、左画面に番組コンテンツデータを、右画面に３つの見出し情報（付加データＡ、付加データＢ、付加データＣ）を表示した例を示すものである。見出し情報の数が多く、全てを一度にテレビ３６の画面から表示できない場合には、分けて表示する。図４に示す例では、３つの見出し情報（付加データＡ、付加データＢ、付加データＣ）を一度に表示するようにしており、それ以上の見出し情報がある場合には、図４中に示す「次へ」をリモコン２１から選択することによって、付加データＤ以降の見出し情報が表示されるようにしている。なお、見出し情報は常に画面に表示される必要はなく、必要に応じて呼び出され、表示されるように設定される場合もある。このように、表示方法は様々実現可能であり、その形態は問わない。
【００４４】
図４の模式図に示すように表示された見出し情報に対応する付加データを取得したい場合には、ユーザ２０は、リモコン２１を操作することによって所望の見出し情報を指定し、この指定情報をリモコン２１からリクエスト受付部３８へ送信する（Ｓ１０）。
【００４５】
リクエスト受付部３８は、リモコン２１から送信された指定情報を受信する。そして、受信した指定情報を、リクエスト処理部４０へと転送する。リクエスト処理部４０は、指定情報に対応する見出し情報を認識し、この見出し情報に対応する付加データをハードディスク３４から取得する。そして、取得した付加データを付加情報通信部４２へと出力する。
【００４６】
付加情報通信部４２は、このようにして付加情報中の必要な付加データを取得すると、取得した付加データを、ユーザが指定するＰＤＡ１６や電子ペーパ１７といった表示機能付きの端末へ向けて送信する。あるいは、付加情報通信部４２と、ユーザが選択するＰＤＡ１６や電子ペーパ１７といった端末とをデータ転送ケーブル（図示せず）によって接続し、このデータ転送ケーブルを介して送信するようにしてもよい（Ｓ１１）。
【００４７】
ＰＤＡ１６や電子ペーパ１７といった表示機能付きの端末は、ステップＳ１１において送信された付加データを受信すると、自己の備えている図示しないメモリにこの付加データを格納する。そして、格納し終えると受信完了通知情報を付加情報通信部４２へと返信する。この場合も、付加情報通信部４２と、ユーザが選択するＰＤＡ１６や電子ペーパ１７といった端末とがデータ転送ケーブル（図示せず）によって接続されている場合には、このデータ転送ケーブルを介して送信する。この受信完了通知情報は、ユーザＩＤ、受信装置ＩＤ、番組ＩＤ、見出し情報、受信完了年月日時刻情報を含んでいる（Ｓ１２）。
【００４８】
なお、ステップＳ１１においてメモリに格納された付加データは、ＰＤＡ１６や電子ペーパ１７が備えている表示機能すなわち、文字の大きさ、色、フォント等のプロパティ設定機能、画面に表示される文字数の設定機能、画面のスクロール機能、縮小拡大機能等を使うことによって自在に表示されるようにしている。これによって、付加データに書き込まれた詳細な情報が、ＰＤＡ１６や電子ペーパ１７の画面から自在に表示されるようにしている（Ｓ１３）。
【００４９】
更に、ステップＳ１２において付加情報通信部４２へと返信された受信完了通知情報は、付加情報通信部４２から放送局１２へと送信され、更にクライアント１０へも送信されるようにしている（Ｓ１４，Ｓ１５）。放送局１２およびクライアント１０では、この受信完了通知情報を参照することによって、いつ、誰が、どの番組をみて、どの見出し情報に対応する付加データを取得したかを把握する。
【００５０】
次に、以上のように構成した本実施の形態に係る情報配信方法を適用した情報配信装置の動作について説明する。
【００５１】
本実施の形態に係る情報配信方法を適用した情報配信装置は、例えば磁気ディスク等の記録媒体に記録されたプログラムを読み込み、このプログラムによって動作が制御されるコンピュータによって実現される。
【００５２】
まず、デジタル放送に含められる様々な付加情報が保持されているクライアント１０から放送局１２に向けて、放送局１２から要求のあった付加情報が送信される（Ｓ１）。
【００５３】
ステップＳ１においてクライアント１０から送信された付加情報は、デジタル放送送出装置２４によって受信される。そして、受信した付加情報に付加情報ＩＤが付されて番組管理サーバ２６へと登録される。また、受信した付加情報に含まれる各付加データの見出しを列挙した見出し情報が作成され、作成された見出し情報もまた見出し情報ＩＤが付されて番組管理サーバ２６へと登録される（Ｓ２）。番組管理サーバ２６には、登録された付加情報および見出し情報が、その付加情報ＩＤおよび見出し情報ＩＤを登録名として、それぞれ関連付けて保持される。
【００５４】
更にリアルタイム放送送出装置２８によって、番組コンテンツデータに番組ＩＤが付され、しかる後に番組管理サーバ２６へと登録される（Ｓ３）。番組管理サーバ２６では、登録された番組コンテンツデータが、その番組ＩＤを登録名として保持される。
【００５５】
次に、配信装置３０によって、番組ＩＤが指定され、指定された番組ＩＤに対応する番組コンテンツデータが番組管理サーバ２６から取得される。更に、番組管理サーバ２６に対して、取得した番組コンテンツデータに付加する付加情報に対応する付加情報ＩＤを指定することによって、付加情報が取得される。更にまた、番組管理サーバ２６に対して見出し情報ＩＤを指定することによって、この見出し情報ＩＤに対応する見出し情報が取得される。
【００５６】
そして、見出し情報の各見出しと、付加情報に含まれる各付加データとの紐付けが行われた後に、見出し情報が番組コンテンツデータに書き込まれ、更にこの番組コンテンツデータおよび付加情報が同一デジタル放送内のデータとして登録される。このようにして、番組コンテンツデータと、付加情報と、見出し情報とがそれぞれ関連付けられる（Ｓ４）。
【００５７】
しかる後に、配信装置３０によって、この付加情報が、人工衛星１８等の配信手段を介してユーザ側受信装置２２に向けて配信される（Ｓ５）。
【００５８】
送信された付加情報は受信アンテナ３２によって受信され、ハードディスク３４へと転送される。そして、ハードディスク３４では、この付加情報が、その付加情報ＩＤを登録名として蓄積される（Ｓ６）。
【００５９】
付加情報の配信を終えると、配信装置３０からは引き続き番組コンテンツデータが人工衛星１８等の配信手段を介してユーザ側受信装置２２に向けて配信される（Ｓ７）。
【００６０】
ステップＳ７において配信された番組コンテンツデータは、受信アンテナ３２によって受信され、更にハードディスク３４へと転送される。そして、ハードディスク３４では、この番組コンテンツデータが、その番組ＩＤを登録名として蓄積されるとともに、テレビ３６からも放映される。これによって、リアルタイムで番組コンテンツデータが放映される（Ｓ８）。なお、必ずしもリアルタイムでなくとも、ハードディスク３４に書き込まれた番組コンテンツデータを任意のタイミングで再生放映することもできる。
【００６１】
このようにしてテレビ３６の画面から番組コンテンツデータが放映される。番組コンテンツデータには、見出し情報が書き込まれているので、図４の模式図に示すように、テレビ３６から放映される番組の一部に見出し情報も表示される（Ｓ９）。
【００６２】
表示された見出し情報に対応する付加データを取得したい場合には、ユーザ２０は、リモコン２１を操作することによって所望の見出し情報を指定し、この指定情報をリモコン２１からリクエスト受付部３８へ向けて送信する（Ｓ１０）。
【００６３】
送信された指定情報は、リクエスト受付部３８によって受信され、更にリクエスト処理部４０へと転送される。リクエスト処理部４０では、指定情報に対応する見出し情報が認識され、この見出し情報に対応する付加データがハードディスク３４から取得される。そして、取得された付加データが付加情報通信部４２へと出力され、更に、付加情報通信部４２から、ユーザが指定するＰＤＡ１６や電子ペーパ１７といった表示機能付きの端末へ向けて送信される（Ｓ１１）。
【００６４】
ステップＳ１１において送信された付加データは、ＰＤＡ１６や電子ペーパ１７といった表示機能付きの端末によって受信されると、更に各々のメモリに格納される。そして、メモリへの格納が完了すると、端末からは、ユーザＩＤ、受信装置ＩＤ、番組ＩＤ、見出し情報、受信完了年月日時刻情報を含んでいる受信完了通知情報が付加情報通信部４２へと返信される（Ｓ１２）。
【００６５】
なお、ステップＳ１１においてメモリに格納された付加データは、ＰＤＡ１６や電子ペーパ１７が備えている表示機能すなわち、文字の大きさ、色、フォント等のプロパティ設定機能、画面に表示される文字数の設定機能、画面のスクロール機能、縮小拡大機能等を使うことによって自在に表示される。これによって、付加情報に書き込まれた詳細な情報が、ＰＤＡ１６や電子ペーパ１７の画面から自在に表示される（Ｓ１３）。
【００６６】
更に、ステップＳ１２において付加情報通信部４２へと返信された受信完了通知情報は、付加情報通信部４２から放送局１２へ、更にはクライアント１０へと送信される（Ｓ１４，Ｓ１５）。放送局１２では、この受信完了通知情報を参照することによって、いつ、誰が、どの番組をみて、どの見出し情報に対応する付加データを取得したかが把握される。
【００６７】
なお、本実施の形態に係る情報配信方法は、計算機（コンピュータ）に実行させることができるプログラム（ソフトウェア手段）として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含むものである。本実施の形態に係る情報配信装置を実現する計算機は、記録媒体に記録されたプログラムを読み込み、また場合により設定プログラムによりソフトウエア手段を構築し、このソフトウエア手段によって動作が制御されることにより上述した処理を実行する。上述したように、本実施の形態に係る情報配信方法においては、上記のような作用により、電子ペーパ１７や、ＰＤＡ１６等のテレビ３６とは異なる端末から付加情報を表示させることができる。したがって、ユーザに対して、文字データ、動画データ、静止画データ、音声データ、プログラムデータ等の様々な付加情報を、好きなときに取得し、かつ持ち運んで好きな場所で見ることができるといった利便性を提供することができるようになる。
【００６８】
このように、デジタル放送に含まれて配信される付加情報を、効率的に利用できるような形態を提供することが可能となる。例えば、付加情報として新聞情報を配信するようにすれば、新聞の配送の代用とすることができる。ユーザは、この新聞情報を電子ペーパ１７や、ＰＤＡ１６等の携帯型の端末に格納し、好きなときに、あるいは好きな場所で見ることができるために、持ち運び可能であるという紙媒体としての新聞の機能を備えるのみならず、混雑した電車の中等においても紙面を広げることなく全頁を見ることができるという利便性を提供することができる。
【００６９】
また、放送局１２およびクライアント１０は、ユーザ側受信装置２２から返信される受信完了通知情報を取得することができるので、いつ、誰が、どの番組をみて、どの見出し情報に対応する付加データを取得したかを把握することができ、ユーザ嗜好を把握するための貴重な情報を得ることができる。
【００７０】
また、本実施の形態に係る情報配信方法を適用した情報配信装置においては、上記のような作用により、電子ペーパ１７や、ＰＤＡ１６等のテレビ３６とは異なる端末から付加データを表示させることができるようになったため、ユーザは、様々な付加データを、好きなときに取得し、好きな場所に持ち運び、かつ端末が備えている豊富な画面表示機能を利用することにより自在に表示させながら見ることができるようになる。
【００７１】
これによって、デジタル放送とともに配信される付加情報をより効率的に利用することが可能となる。例えば、付加情報として新聞情報が配信された場合、ユーザは、この新聞情報を電子ペーパや、ＰＤＡ等の携帯型の端末に格納し、好きなときに、あるいは好きな場所で見ることができる。このため、持ち運び可能であるという紙媒体としての新聞の利点を損なうことなく、かつ、端末が元々備えてる豊富な画面表示機能を利用して混雑した電車の中等においても紙面を広げることなく表示性を落とすことなく見ることが可能となる。
【００７２】
また、従来、電子ペーパ１７や、ＰＤＡ１６、あるいは携帯電話といった携帯型の端末によって情報を直接取得する場合には、通信コストが問題となっていたが、本実施の形態では、付加情報の取得は、これら端末が行うのではなく、ユーザ側受信装置２２によって行う。このため、大量な情報量の付加情報であっても、通信コストに関係なく取得することができる。
【００７３】
（第２の実施の形態）
本発明の第２の実施の形態を図５を用いて説明する。
【００７４】
図５は、第２の実施の形態に係る情報配信方法を適用した情報配信装置を説明するためのユーザ側受信装置２２の構成例を示す機能ブロック図である。図５において、図３と同一部分には同一符号を付している。したがって、図３と同一部分については重複説明を避ける。
【００７５】
すなわち、本実施の形態に係る情報配信方法を適用した情報配信装置は、第１の実施の形態に係る情報配信方法を適用した情報配信装置の変形例であって、付加情報通信部４２が取得した付加データを、ＰＤＡ１６や電子ペーパ１７といった表示機能付きの端末へ向けて出力する場合、第１の実施の形態では、有線又は無線によって直接送信していたのに対し、本実施の形態では、直接送信せずに、例えばフロッピー（登録商標）ディスクや、ＳｍａｒｔＭｅｄｉａ（登録商標）等の記憶媒体４６に一旦書き込み、この記憶媒体４６に書き込まれた付加データを、ＰＤＡ１６や電子ペーパ１７といった表示機能付きの端末に読み取らせるようにしている点が異なる。このような本実施の形態に係る情報配信装置もまた、第１の実施の形態同様、例えば磁気ディスク等の記録媒体に記録されたプログラムを読み込み、このプログラムによって動作が制御されるコンピュータによって実現される。
【００７６】
このため、図５に示すように、本実施の形態では、付加情報通信部４２、およびＰＤＡ１６や電子ペーパ１７のような表示機能付きの端末に記憶媒体挿入部４４、および記憶媒体挿入部４８を備えている。
【００７７】
記憶媒体挿入部４４は、記憶媒体４６の着脱が可能な構造をしており、記憶媒体４６が装着されると、付加情報通信部４２が保持している付加データを、記憶媒体４６に書き込めるようにしている。
【００７８】
また、記憶媒体挿入部４８もまた記憶媒体４６の着脱が可能な構造をしており、記憶媒体４６が装着されると、記憶媒体４６に書き込まれている付加データを、端末側が取得できるようにしている。
【００７９】
本実施の形態に係る情報配信方法を適用した情報配信装置では、以上のような構成をしていることにより、第１の実施の形態で奏される作用効果に加えて、更に以下のような作用効果を奏することができる。
【００８０】
すなわち、ユーザは、手元に電子ペーパ１７やＰＤＡ１６等の端末がない場合であっても、データをとりあえずフロッピー（登録商標）ディスクや、ＳｍａｒｔＭｅｄｉａ（登録商標）等の記憶媒体４６に格納することができる。これによって、ユーザは、この記憶媒体４６を、端末まで持ち運んで、端末が備えられている場所で見ることも可能となる。
【００８１】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【００８２】
【発明の効果】
本発明の請求項１の情報配信装置によれば、視聴者は、選択した見出しに対応する付加情報のみを、視聴者端末から視聴することが可能となる。
【００８３】
本発明の請求項２の情報配信装置によれば、見出し情報がコンテンツ情報に含められているので、視聴者は、コンテンツ情報を視聴することによって、見出し情報をも視聴することが可能となる。
【００８４】
本発明の請求項３の情報配信装置によれば、付加情報が視聴者によって視聴されると、デジタル放送局側は、その視聴履歴を把握することができる。
【００８５】
本発明の請求項４の情報配信装置によれば、視聴者は、選択した見出しに対応する付加情報を、自己の指定する端末から視聴することが可能となる。このため、電子ペーパ、ＰＤＡ、パソコン等のテレビとは異なる端末からも付加情報を視聴することが可能となる。このため、視聴者は、様々な付加情報を、好きな場所で見ることができるようになる。
【００８６】
本発明の請求項５の情報配信方法によれば、視聴者は、選択した見出しに対応する付加情報のみを、視聴者端末から視聴することが可能となる。
【００８７】
本発明の請求項６の情報配信方法によれば、見出し情報がコンテンツ情報に含められているので、視聴者は、コンテンツ情報を視聴することによって、見出し情報をも視聴することが可能となる。
【００８８】
本発明の請求項７の情報配信方法によれば、付加情報が視聴者によって視聴されると、デジタル放送局側は、その視聴履歴を把握することができる。
【００８９】
本発明の請求項８の情報配信方法によれば、視聴者は、選択した見出しに対応する付加情報を、自己の指定する端末から視聴することが可能となる。このため、電子ペーパ、ＰＤＡ、パソコン等のテレビとは異なる端末からも付加情報を視聴することが可能となる。このため、視聴者は、様々な付加情報を、好きな場所で見ることができるようになる。
【００９０】
本発明の請求項９のプログラムによれば、視聴者は、選択した見出しに対応する付加情報のみを、視聴者端末から視聴することが可能となる。
【図面の簡単な説明】
【図１】第１の実施の形態に係る情報配信方法を適用した情報配信装置を説明するための概念図
【図２】番組コンテンツデータと付加情報と見出し情報との関連性を示すデータ関連図
【図３】第１の実施の形態におけるユーザ側受信装置の構成例を示す機能ブロック図
【図４】番組コンテンツデータとともに見出し情報が表示されたテレビの画面の一例を示す模式図
【図５】第２の実施の形態におけるユーザ側受信装置の構成例を示す機能ブロック図
【符号の説明】
１０…クライアント、１１…付加情報データベース、１２…放送局、１６…ＰＤＡ、１７…電子ペーパ、１８…人工衛星、２０…ユーザ、２１…リモコン、２２…ユーザ側受信装置、２４…デジタル放送送出装置、２６…番組管理サーバ、２８…リアルタイム放送送出装置、３０…配信装置、３２…受信アンテナ、３４…ハードディスク、３６…テレビ、３８…リクエスト受付部、４０…リクエスト処理部、４２…付加情報通信部、４４…記憶媒体挿入部、４６…記憶媒体、４８…記憶媒体挿入部
【図１】
2004254122.tif 000003
【図２】
2004254122.tif 000004
【図３】
2004254122.tif 000005
【図４】
2004254122.tif 000006
【図５】
2004254122.tif 000007